(57)【要約】【解決手段】本発明は、冷蔵庫又は冷凍庫などの冷貯蔵装置のためのドア（１０）に関する。ドアは、フレーム（１２）と、フレームに取り付けられたドアガラス（１４）とを備えている。ドアは、少なくとも１つの発光ダイオード（ＬＥＤ）（１６）であって、ＬＥＤの動作中にＬＥＤから発生した熱が、ドアガラスに導かれ、ドアガラスの水分形成を減少させるような、上記ＬＥＤ、を備えていることを特徴としている。  本発明は、上述したドアを備えた冷蔵庫又は冷凍庫などの冷貯蔵装置（２４）にも関連している。【選択図】図２
2010505079.tif 000002
【特許請求の範囲】
【請求項１】
フレーム及びフレームに取り付けられたドアガラスを備えた、冷蔵庫又は冷凍庫などの冷貯蔵装置のためのドアであって、
少なくとも１つの発光ダイオード（ＬＥＤ）を備え、この発光ダイオード（ＬＥＤ）が、動作中にＬＥＤから発生した熱が、ドアガラスに導かれ、ドアガラスの水分形成を減少させることを特徴とするドア。
【請求項２】
上記少なくとも１つのＬＥＤは、冷貯蔵装置の内部を照明するように適合していることを特徴とする請求項１に記載のドア。
【請求項３】
上記ドアガラスは、ガラス又はプラスチックのドアガラスであることを特徴とする請求項１に記載のドア。
【請求項４】
上記少なくとも１つのＬＥＤは、フレームに取り付けられていることを特徴とする請求項１に記載のドア。
【請求項５】
上記少なくとも１つのＬＥＤは、反射鏡輪郭に取り付けられ、これがさらに、フレームに取り付けられていることを特徴とする請求項１に記載のドア。
【請求項６】
上記フレームと、上記任意的要素である反射鏡輪郭とは、少なくとも部分的に、アルミニウムなどの伝熱材料から作られていることを特徴とする請求項１又は５に記載のドア。
【請求項７】
上記少なくとも１つのＬＥＤは、ドアガラスに内蔵されていることを特徴とする請求項１に記載のドア。
【請求項８】
冷蔵庫又は冷凍庫などの冷貯蔵装置であって、請求項１乃至７の何れか１項に記載のドアを備えていることを特徴とする冷貯蔵装置。
【発明の詳細な説明】
【技術分野】
【０００１】
本発明は、冷蔵庫又は冷凍庫などの冷貯蔵装置のためのドアに関し、フレームと、フレームに取り付けられたドアガラスとを備えたものに関する。また、本発明は、そうしたドアを備えてなる、冷蔵庫又は冷凍庫などの冷貯蔵装置に関する。
【背景技術】
【０００２】
小売において使用される冷凍ユニットには、しばしばガラスドアが設けられ、顧客がドアを通して冷凍庫内の製品を見ることができるようになっている。しかしながら、冷凍庫の内側と外側との間の温度差は、そうしたガラスドア面に水分を発生させ、ガラスを通した視認を妨げる傾向がある。
【発明の概要】
【発明が解決しようとする課題】
【０００３】
この問題点に対する１つの公知の解決策は、ガラスドアを加熱するための専用の加熱要素を加えることであり、これにより、水分の発生は減少する。しかしながら、この解決策の不都合は、加熱要素を駆動する余分なエネルギーを必要とし、それにより、冷凍庫を運転する総合的なコストを上昇させることである。
【０００４】
本発明の目的は、この問題点を解決し、抗水分機能を備えた、冷蔵庫又は冷凍庫などの冷貯蔵装置のための改良されたドアを提供することである。
【課題を解決するための手段】
【０００５】
この目的及びその他の目的は、以下の説明から明らかになり、特許請求の範囲に従った、冷蔵庫又は冷凍庫などの冷貯蔵装置のためのドア、及びそうしたドアを備えた冷貯蔵装置によって達成される。
【０００６】
本発明の第１の観点によれば、冷蔵庫又は冷凍庫などの冷貯蔵装置のためのドアであって、フレームと、フレームに取り付けられたドアガラスと、を備えてなる上記ドアにおいて、少なくとも１つの発光ダイオード（ＬＥＤ）であって、ＬＥＤの動作中にＬＥＤから発生した熱が、ドアガラスに導かれ、ドアガラスの水分形成を減少させるような、上記ＬＥＤ、を備えていることを特徴とするドアが提供される。
【０００７】
本発明は、ＬＥＤによって発生した熱は、単に失なわれ又は別の方法で偏向される代わりに、水分の発生を防ぐべく、ドアガラスを加熱するために使用できるという理解に基づく。好ましくは、ＬＥＤは、冷貯蔵装置の内部を照明するために適合している。従って、専用の加熱要素は全く必要なく、電力消費を減少させる。また、本発明は、照明及び加熱（及び任意的にグリップ）の機能を統合できるので、ドアのより小型の構造を提供する。
【０００８】
ひとつの実施形態においては、少なくとも１つの発光ダイオードは、ＬＥＤの動作中にＬＥＤによって発生する熱が、フレーム及びドアガラスに導かれ、ドアガラス面の水分形成を減少させるように配置される。
【０００９】
好ましくは、ドアガラスは、ガラス又はプラスチックのドアガラスである。
【００１０】
少なくとも１つのＬＥＤは、フレームに直接取り付けられ、ＬＥＤと、フレーム／ドアガラスとの間に、効果的な熱伝達を行う。変形例としては、少なくとも１つのＬＥＤは、反射鏡輪郭に取り付けられ、これはさらに、フレームに取り付けられる。ＬＥＤとフレーム／ドアガラスとの間に熱を導く点を除き、反射鏡輪郭は、冷貯蔵装置の内部に向けて、ＬＥＤから光を導くように働く。フレーム及び任意的要素である反射鏡輪郭は、アルミニウムなどの伝熱材料から作られるべきである。別の変形例としては、少なくとも１つのＬＥＤは、ドアガラスに内蔵されている。例えば、ＬＥＤは、ドアガラスの２層の間にサンドイッチにされる。
【００１１】
本発明の別の観点によれば、前述した説明に従ったドアを備えてなる、冷蔵庫又は冷凍庫などの冷貯蔵装置が提供される。
【００１２】
本発明のこれらの観点については、現時点での好ましい実施形態を示した添付図面を参照して、より詳細に説明する。
【図面の簡単な説明】
【００１３】
【図１】本発明の実施形態によるドアを示した部分上面図である。
【図２】図１に示したタイプのドアを備えた、冷貯蔵装置を示した斜視図である。
【図３】本発明の別の実施形態によるドアを示した部分上面図である。
【図４】図３に示したタイプのドアを備えた、冷貯蔵装置を示した斜視図である。
【発明を実施するための最良の形態】
【００１４】
図１は、本発明の実施形態による、冷蔵庫又は冷凍庫などの冷貯蔵装置のドア１０を示した部分上面図である。ドア１０は、フレーム１２を備え、フレームにはドアガラス、例えば、透明なガラス又はプラスチック板が取り付けられている。ドアガラス１４は、外部から冷貯蔵装置の内部を見ることを可能にする。
【００１５】
ドア１０はさらに、複数のＬＥＤ１６を備えている。図１において、ＬＥＤ１６は反射鏡輪郭１８に取り付けられ、これはさらに、フレーム１２に取り付けられている。反射鏡輪郭１８は、光線跡２０によって示されるように、反射鏡輪郭１８から光を導くように働く。好ましくは、光は、冷貯蔵装置の内部に向けて導かれ、これを照明する。
【００１６】
また、反射鏡輪郭１８は、動作中にＬＥＤ１６によって発生した熱を、フレーム１２及びドアガラス１４へ導くように働く。これは、矢印２２によって示される。このため、反射鏡輪郭１８とフレームとは、アルミニウムなどの伝熱材料から構成される。また、輪郭１８とフレーム１２との間の境界は、効果的な熱伝達のために輪郭１８とフレーム１２との間に、最も良い可能な接触を提供するべきである。
【００１７】
ＬＥＤ１６からフレーム１２及びドアガラス１４への余分な熱伝達によって、ドアガラス１４は加熱され、それにより、ドアガラス１４に存在するあらゆる水分は乾燥して、さらに、ドアガラス１４面に水分が発生するのは防止される。
【００１８】
従って、ＬＥＤ１６は、冷貯蔵装置を照明するだけでなく、照明中のＬＥＤ１６によって発生する熱は、ドアガラス１４を加熱するのにも使用され、水分の形成が防止され、それにより、冷貯蔵装置の内部の明瞭な視界が得られる。
【００１９】
図２には、冷蔵庫又は冷凍庫などの冷貯蔵装置２４に取り付けられた、図１のドア１０を示している。ここで、ＬＥＤ１６は、ドア１０の片側に取り付けられる。ＬＥＤ１６から伝達された余分な熱は、フレーム１２を加熱し、冷貯蔵装置２４のドアフレームに容易にドア１０が凍結しないという追加的な利益をもたらすことに留意すべきである。
【００２０】
変形例としては、図３に示すように、ＬＥＤ１６はドアガラス１４に内蔵される。図３において、ＬＥＤ１６は、ドアガラス１４における第１の層２６と第２の層２８との間にサンドイッチされている。ドアガラスにおける第２の層２８と第３の層３０との間には、空間３２がさらに設けられる。空間３２は好ましくは、真空又は断熱ガスなどを備える。第１の層２６及び第２の層２８は、冷貯蔵装置の外側３４に面するべきであり、一方、第３の層３０は、冷貯蔵装置の内側３６に面するべきである。加えて、第３の層は、任意的には、熱反射コーティング３８を、ＬＥＤに向かう側に備え、ＬＥＤからの赤外線などのあらゆる熱波を反射する。
【００２１】
動作中には、ＬＥＤ１６が発生した余分な熱は、ドアガラス１４における第１の層２６と第２の層２８とに主として直接伝達され（矢印２２にて示す）、ドアガラス１４を加熱させ、それにより、ドアガラス１４に存在するすべての水分を乾燥させ、さらに、ドアガラス１４面に水分が発生するのを防止する。断熱空間３２（及び、任意的要素であるコーティング３８）のために、冷貯蔵装置に熱が伝達されることは、ほとんど又は全くない。従って、余分な熱は、一般的に、冷貯蔵装置の内部３６から連れさられる。ＬＥＤ１６は、ＬＥＤが発生した光２０が、冷貯蔵装置の内部に導かれるように向けられて、これを照明するようになっている。
【００２２】
図３のドア１０は、図４に示した冷蔵庫又は冷凍庫などの冷貯蔵装置２４に取り付けられる。
【００２３】
当業者が理解するように、本発明は、決して、前述した好ましい実施形態に限定されるものではない。逆に、特許請求の範囲の範囲内において、多くの変形例及び改変例が可能である。例えば、ＬＥＤ１６は、フレームに直接取り付けられ、それにより、反射鏡輪郭１８を省略することができる。さらに、ＬＥＤ１６は、矩形のフレーム１２の側部に任意の数だけ配置される。例えば、ＬＥＤは、（図２に示すように）左側だけに配置したり、（ドアの蝶番側である）右側だけに配置したり、左右の両方の側に配置したり、又は、左側と頂部側とに配置したりしてもよい。ＬＥＤの配置は、例えば、必要な照明効果に依存する。さらに、図２及び図４に示した垂直蝶番ドアに代えて、本発明の解決策は、垂直摺動ドア、又は、例えば冷凍庫／クーラーの床置きキャビネットにおける水平摺動ドアにも適用できる。
【図１】
2010505079.tif 000003
【図２】
2010505079.tif 000004
【図３】
2010505079.tif 000005
【図４】
2010505079.tif 000006
【国際調査報告】
2010505079.tif 000007
2010505079.tif 000008
2010505079.tif 000009